(57)【特許請求の範囲】
【請求項１】
信号端子が配列される相手コネクタとの嵌合部を有したコネクタハウジングと、前記嵌合部付近に固定されるシールド部材と、前記コネクタハウジングに固定されて相手コネクタとの嵌合をロックし得るロック金具と、を備えたロック金具付き電気コネクタにおいて、
前記ロック金具は、少なくとも、相手コネクタとの嵌合をロックするために先端側に設けたロック爪を有するロック部と該ロック部の後方に延びる係止部とを有し、前記ロック爪を除いて全体として略平板状とされており、
前記コネクタハウジングは、相手コネクタとの嵌合側に開放されたロック金具挿入部を有しており、
前記シールド部材は、ロック金具と接触し得る接触部を有しており、
前記コネクタハウジングにシールド部材が固定される際、前記シールド部材は、該シールド部材の前記接触部を前記ロック金具挿入部に挿入しつつ、相手コネクタとの嵌合側から前記コネクタハウジングに固定され、
前記コネクタハウジングにロック金具が固定される際、前記ロック金具は、前記ロック金具の後端側を相手コネクタとの嵌合側から前記コネクタハウジングのロック金具挿入部へ挿入され、前記シールド部材の接触部が前記ロック金具の係止部と接触し得るようになっており、
前記シールド部材の接触部の弾性変位部が、前記ロック金具挿入部内に位置し、且つ、前記弾性変位部の先端側が、前記ロック金具の前記ロック金具挿入部への挿入方向に向かって延出していることを特徴とするロック金具付き電気コネクタ。
【請求項２】
前記シールド部材の接触部の先端部を前記相手コネクタとの嵌合側に曲げ、前記ロック金具の係止部に、前記コネクタハウジングにロック金具が固定される際に、前記接触部の先端部が嵌まり込む凹部を設けた請求項１記載の電気コネクタ。
【請求項３】
前記コネクタハウジングのロック金具挿入部の、前記シールド部材の接触部が設けられている側とは前記ロック金具を挟んだ反対側の内壁に、前記ロック金具を前記ロック金具挿入部内において位置決めする突起が設けられている請求項１または２記載の電気コネクタ。
【請求項４】
前記ロック金具挿入部の内壁に前記接触部を収容する収容溝が形成されている請求項１乃至３のいずれかに記載の電気コネクタ。
【発明の詳細な説明】
【０００１】
【発明の属する技術分野】
本発明は、電気コネクタ、更に言えば、相手コネクタとの嵌合をロックし得るロック金具を有したロック金具付き電気コネクタに関する。
【０００２】
【従来の技術】
従来のロック金具付き電気コネクタとして、例えば、実開平６−１９２８０号に開示されているものがある。このコネクタは、いわゆるライトアングルタイプ、即ち、基板固定時に相手コネクタとの嵌合側を基板に対して垂直に向けるタイプである。このライトアングルタイプに対して、後述する従来例に挙げられているストレートタイプ、即ち、基板固定時に相手コネクタとの嵌合側を基板に対して水平に向けるタイプがある。
【０００３】
この従来例に開示されたロック金具付き電気コネクタは、信号端子が配列される相手コネクタとの嵌合部を有した絶縁性コネクタハウジングと、コネクタハウジングの嵌合部付近に固定されて嵌合部内の信号端子を覆うことで、シールド効果を得るシールド金具と、コネクタハウジングに固定されて相手コネクタとの嵌合をロックし得るロック金具から成る。
【０００４】
この従来例では、特に、ロック金具が折り曲げ加工容易な比較的薄い平らな板金から形成されている。このような板材を用いることにより、ダイキャスト成形が不要とされており、また、簡単な作業によってロック爪を形成することが可能とされている。コネクタハウジングにロック金具を固定する際、ロック金具は、比較的大きなロック爪を設けた側から、コネクタハウジングの貫通穴へ挿入される。挿入方向は、後方（相手コネクタとの嵌合側の反対側）から前方（相手コネクタとの嵌合側）に向かう方向、即ち、相手コネクタとの嵌合方向とは逆方向、である。貫通穴へのロック金具の挿入が完了したとき、ロック爪は、コネクタハウジングの前方に突出した状態とされる。
【０００５】
ロック金具付き電気コネクタの他の従来例として、特開平１０−２２８９６１号に開示されたストレートタイプのコネクタがある。基本構成は先の従来例と同じであるが、ここでは、ロック金具が、比較的大きなロック爪を設けた先端側からではなく、平板状の後端側から、コネクタハウジングの貫通穴へ挿入される。挿入方向も、先の従来例と異なり、前方（相手コネクタとの嵌合側）から後方（相手コネクタとの嵌合側の反対側）に向かう方向、即ち、相手コネクタとの嵌合方向、である。ロック金具の挿入側および挿入方向を変えたことにより、この従来例では、折り曲げ加工された比較的大きなロック爪をコネクタハウジングに貫通させることが不要とされ、比較的厚い板金を板状態のままコネクタハウジングに挿入することができる。貫通穴へのロック金具の挿入が完了したとき、ロック金具の前端部、即ち、ロック爪を設けた側は、先の従来例と同様、前方に突出した状態とされ、一方、ロック金具の後端部は、後方から突出した状態とされる。この後端部は先細の二股形状とされており、基板への取付時にアース接続のために基板の所定穴に半田付けされ得る。この半田付けによって、ロック金具は、基板に固定されるとともに、アースとしての役目も果たす。このアース接続されたロック金具に対して、シールド金具が（電気的に）接触される。シールド金具は、ロック金具を介してアースに接続されることになる。この従来例では、これらシールド金具とロック金具の（電気的）接触は、コネクタハウジングに対するシールド金具の押し付け力、即ち、コネクタハウジングにシールド金具を圧入する際の圧入力のみを利用して維持されており、また、シールド金具とロック金具を一部表面接触させることによってのみ達成されている。
【０００６】
【発明が解決しようとする課題】
しかしながら、先に挙げた従来例のように、ロック金具を比較的薄い板金から形成した場合には、ロック爪に十分な強度を確保することができないという問題もある。
【０００７】
また、後に挙げた従来例のように、シールド金具とロック金具の電気的接触を、コネクタハウジングに対するロック金具の押し付け力のみによって維持し、また、シールド金具とロック金具を一部表面接触させることによって達成したのでは、シールド金具とロック金具の電気的接触が不確実であるといった問題もある。
【０００８】
更に、両者に共通する問題として、これらの従来例では、相手コネクタからロック金具にこじり力が生じた場合に、ロック金具に生じたこじり力がそのまま直にコネクタハウジングに伝達されてしまうことから、ハウジングに設けた信号端子の接触部に不要な力が加わってしまうといった問題もある。
【０００９】
本発明はこれらの従来技術を解決するためになされたものであり、固定金具に十分な強度を維持しつつ、ロック金具とシールド金具の電気的接触の信頼性を向上させること、更には、電気コネクタを小型化、組み立て容易にし、コネクタの基板取付強度を向上させることをも目的とする。
【００１０】
【課題を解決するための手段】
本発明の一つの観点によれば、信号端子が配列される相手コネクタとの嵌合部を有したコネクタハウジングと、前記嵌合部付近に固定されるシールド部材と、前記コネクタハウジングに固定されて相手コネクタとの嵌合をロックし得るロック金具と、を備えたロック金具付き電気コネクタにおいて、前記ロック金具は、少なくとも、相手コネクタとの嵌合をロックするために先端側に設けたロック爪を有するロック部と該ロック部の後方に延びる係止部とを有し、前記ロック爪を除いて全体として略平板状とされており、
前記コネクタハウジングは、相手コネクタとの嵌合側に開放されたロック金具挿入部を有しており、前記シールド部材は、ロック金具と接触し得る接触部を有しており、
前記コネクタハウジングにシールド部材が固定される際、前記シールド部材は、該シールド部材の前記接触部を前記ロック金具挿入部に挿入しつつ、相手コネクタとの嵌合側から前記コネクタハウジングに固定され、前記コネクタハウジングにロック金具が固定される際、前記ロック金具は、前記ロック金具の後端側を相手コネクタとの嵌合側から前記コネクタハウジングのロック金具挿入部へ挿入され、前記シールド部材の接触部が前記ロック金具の係止部と接触し得るようになっており、前記シールド部材の接触部の弾性変位部が、前記ロック金具挿入部内に位置し、且つ、前記弾性変位部の先端側が、前記ロック金具の前記ロック金具挿入部への挿入方向に向かって延出していることを特徴とするロック金具付き電気コネクタが提供される。
【００１５】
本発明の一つの実施形態によれば、前記シールド部材の接触部の先端部を前記相手コネクタとの嵌合側に曲げ、前記ロック金具の係止部に、前記コネクタハウジングにロック金具が固定される際に、前記接触部の先端部が嵌まり込む凹部を設けている。
【００１６】
本発明の別の実施形態によれば、前記コネクタハウジングのロック金具挿入部の、前記シールド部材の接触部が設けられている側とは前記ロック金具を挟んだ反対側の内壁に、前記ロック金具を前記ロック金具挿入部内において位置決めする突起が設けられている。また、前記ロック金具挿入部の内壁に前記接触部を収容する収容溝が形成されていてもよい。
【００１７】
【発明の実施の形態】
図１に、本発明の第１の実施形態によるロック金具付き電気コネクタ、特にライトアングルタイプのコネクタの一例を分解斜視図で示す。この電気コネクタ１は、信号端子２が配列されるコネクタハウジング３と、このコネクタハウジング３に固定されるシールド金具４と、コネクタハウジング３に固定されて相手コネクタ（図示されていない）との嵌合をロック等し得るロック金具５から成る。シールド金具４とロック金具５は、この順番で、コネクタハウジング３に固定される。
【００１８】
コネクタハウジング３は、プラスチック等の絶縁部材でモールド成形されている。相手コネクタ（図示されていない）との嵌合側には、内部に複数の接触端子２が配列される嵌合突出部３１が設けられている。図示の例は、既に接触端子２が配列された状態を示す。各接触端子２は垂直下方にそれぞれ折り曲げられており、それらの各端部は、コネクタハウジング３の底部から多少飛び出している。飛び出た各端部を、基板（図示されていない）の対応個所に半田付けすることにより、各接触端子２と基板は電気的に接続される。
【００１９】
コネクタハウジング３の嵌合突出部３１の左右各側に１つずつ、ロック金具５が挿入されるロック金具挿入部３２が設けられている。これらのロック金具挿入部３２は、互いに同じ形状（対称の形状）を有し、また、少なくとも相手コネクタハウジング３との嵌合側（前側）およびその底面側（下側）に開放されている。これらのロック金具挿入部３２には、シールド金具４の固定後に、ロック金具５が挿入される。
【００２０】
コネクタハウジング３の相手コネクタとの嵌合部付近に、シールド金具４が固定される。シールド金具４は、相手コネクタのシールド部材と電気接続すると共に、後述する方法で、ロック金具５との接触を通じて基板のアース回路に確実に電気接続されることにより、シールド効果が得られる。
【００２１】
シールド金具４には、コネクタハウジング３の形状に対応して、前板４１とこの前板４１から突出する嵌合部用の突出板４２が設けられている。更に、シールド金具４の前板４１には、嵌合突出板の左右各側に１つずつ（図面には１つのみしか表れていない）、舌片（接触部）４３が設けられている。これらの舌片４３は、コネクタハウジング３の前方（相手コネクタとの嵌合側）から後方（相手コネクタとの嵌合側とは反対側）に向かう方向に延出されており、また、外側に向かって多少山型に折り曲げることによって弾性変位可能な状態とされている。これらの舌片４３は、シールド金具４とロック金具５の（電気的）接触を確実にするために重要な役割を果たす。
【００２２】
シールド金具４は、コネクタハウジング３の前側からコネクタハウジング３の前面および嵌合突出部３１を覆う状態でそこに固定される。シールド金具４のコネクタハウジング３への接近に伴って、シールド金具４の舌片４３は、コネクタハウジング３の挿入部３２の内壁に設けた収容溝３６に沿って進み、上部を多少突出させた状態でそこに収容される（後述する図４によく現されている）。
【００２３】
シールド金具４をコネクタハウジング３に固定するため、シールド金具４の上側に２個、下側（図示されていない）に１個、係合穴４４が設けられている。これらの係合穴に対応して、コネクタハウジング３の上側および下側の対応位置にも、係合突起４０が同数ずつ設けられている。これらの係合穴４４と係合突起４０を互いに係合させることにより、コネクタハウジング３とシールド金具４は互いに固定され得る。
【００２４】
シールド金具４の固定後に、ロック金具５をコネクタハウジング３に固定する。ロック金具５は、平らな金属板を抜き加工し、端部を折り曲げることで、ロック爪５１を形成しており、全体として略平板状に形成されている。その結果、複雑な加工が不要となり、又比較的厚い板材を用いることが出来る。比較的厚い板材を用いることによって、ロック金具（ロック爪）に十分な強度を持たせることができ、また、アース回路接続部たる固定部５４にコネクタを半田固定する十分な強度を持たせることもできる。
【００２５】
図２、図３にそれぞれ、コネクタハウジング３の断面形状とコネクタハウジング３に対するロック金具５の固定方法を示す。ここで、図２は、シールド金具固定後で且つロック金具固定前における図１のコネクタハウジングのＡ−Ａ線断面図であり、図３は、シールド金具固定後で且つロック金具固定後における図２に対応する断面図である。以下、これらの図を参照して、ロック金具５の詳細とコネクタハウジング３に対するロック金具５の固定方法を説明する。
【００２６】
図２から明らかなように、コネクタハウジング３の挿入部３２には、挿入孔３３とコネクタハウジングの底面側が開放された挿入溝３４が形成されており、更に、挿入孔３３と挿入溝３４の間に突出部３５が形成されている。挿入孔３３は、相手コネクタとの嵌合側に開放されている。挿入溝３４は、挿入孔３３との間に突出部３５を形成しつつ挿入孔３３と略並行に相手コネクタとの嵌合側に開放されており、また、コネクタハウジング３の底面側にも開放されている。突出部３５は、挿入孔３３と略並行に、相手コネクタとの嵌合側に突出している。
【００２７】
各ロック金具５は、コネクタハウジング３の前側からその挿入部３２へ、図示矢印方向、即ち、相手コネクタとの嵌合方向へ、その後端部、即ち、ロック爪５１を設けた側とは反対側から挿入される。
【００２８】
ロック金具５は、機能的に、ロック部５２と、ロック部５２の後方に位置する係止部５３と、このロック部から係止部に向かう方向と交差する方向に延出された固定部５４と、更に、これらを連結する連結部（５５等）に、分けて考えることができる。
【００２９】
ロック部５２は、相手コネクタとの嵌合時に、相手コネクタの対応ロック片（図示されていない）と係合して、相手コネクタとの嵌合をロックする部分である。ロック部５２は、ロック金具５において最も先端側に位置する。ロック部５２の先端に設けたロック爪５１は、略平板状の他の部分に比べて、比較的大きな大きさを有する。このような大きさを有するにもかかわらず、前述したように、ロック金具５は、それらの後端部から、コネクタハウジング３の前方から後方に向かって（図３の矢印）挿入部３２に挿入されるため、ロック爪５１をコネクタハウジング３に挿入する必要がなくなり、したがって、コネクタハウジング３の大きさ、特に、コネクタハウジング３の幅方向の大きさが小型化され得る。
【００３０】
係止部５３は、コネクタハウジング３の挿入部３２、特に、その挿入孔３３に挿入されて、ロック金具５をコネクタハウジング３に対して係止固定する部分である。図２から明らかなように、挿入孔３３の外側の内壁に、内側に向かって突出された位置決め突起３７（紙面垂直上方に突出している）が２個設けられている。この位置決め突起３７の働きにより、挿入孔３３に挿入されてきた係止部５３は、外側の内壁、即ち、舌片４３（図１参照）とは反対側の内壁に押し当てられてコネクタハウジング３の幅方向において正確に位置決めされると共に、舌片との接触も適切な間隔に保つことができる。
【００３１】
係止部５３は、多少先細の状態でロック部５２の後方、即ち、ロック部５２から係止部５３に向かう方向に延出されており、また、その中間部に４個の歯５７を有する。係止部５３のこのような形状に対応して、挿入孔３３も、その前方から後方に向かって多少先細とされており、また、その中間部に圧入段差部３８を有する。尚、係止部５３を挿入孔３３に圧入することができるように、挿入孔３３の大きさは係止部５３よりも若干小さい。圧入時に、係止部５３に設けた４個の歯５７は、コネクタハウジング３の挿入孔３３に食い込み、また、これらの歯５７と挿入孔３３に設けた圧入段差部３８の関わり合いによって固定がより確実なものとされる。尚、これらの歯５７の歯先５８は、ロック金具５の前側への抜け防止のため、相手コネクタとの嵌合側に対抗する方向に形成されている。係止部５３の末端５９は二股形状とされており、係止部５３の圧入後に、この二股部分５９を挿入孔３３の扇状端部３９よりも大きく外側へ押し広げることによって、ロック金具５の前側への抜けをより有効に防止することができるようにされている。
【００３２】
固定部５４は、ロック部５２から係止部５３に向かう方向と交差する方向に延出されている。ここでは、２本の固定部５４が設けられている。固定部５４とロック部５２は連結部５５によって連結されており、連結部５５と係止部５３との間に、係止部５３と隣接し略並行に、ロック金具５の外部、特にその後方に開放された空間６２が形成されている。係止部５３と略並行に空間６２を設けたことにより、換言すれば、連結部５５を係止部５３と略並行に並べて配置したとしたことにより、相手コネクタとの嵌合方向におけるロック金具５の長さは、それらを直列に並べたときよりも短くなっている。この結果、コネクタの小型化、特に、コネクタの長手方向における小型化が図られる。
【００３３】
ロック金具５をコネクタハウジング３へ挿入する際、固定部５４は、コネクタハウジング３の底面から常に飛び出した状態で挿入され、また、挿入後も飛び出した状態とされる。一方、連結部５５は、挿入溝３４に沿って挿入され、また、挿入後はその略全体が挿入溝３４に収まる。更に、係止部５３と略並行に設けた空間６２には、コネクタハウジング３の突出部３５が組み付けられる。空間６２に突出部３５を組み付けることにより、係止部５３はコネクタハウジング３の圧入段差部３８と突出部３５の対向部に狭持的に圧入係止され、コネクタハウジング３とロック金具５の結合が強化されている。また、固定部５４をコネクタハウジング３の底面から突出させることにより、更にまた、連結部５５を係止部５３と略並行とし、この連結部５５から固定部５４を延出させたことにより、ロック部５２と固定部５４の配置距離を任意に設計可能とされている。また、ロック金具５の係止部５３と連結部５５（固定部５４）とを別々の分肢として設けたことにより、更には、突出部３５を係止部５３側の面のみロック金具と係止させたことにより、ロック部５２、特にそのロック爪５１で受けた過度のこじり力を、コネクタハウジング３を介さずに連結部５５や固定部５４へ逃すことができるため、コネクタハウジング３に配列された信号端子の接触部に不要な力が加わることを防止することができる。
【００３４】
尚、固定部５４は最終的には、基板の所定位置に半田付けされ、ロック金具５やこのロック金具５が固定されたコネクタハウジング３を基板（図示されていない）に固定するとともに、ロック金具５とシールド金具４との接触を通じて、シールド金具４をアースに接続する役目も果たす。
【００３５】
次に、図４を参照して、ロック金具５とシールド金具４の接触方法、更に言えば、ロック金具５とシールド金具４の舌片４３の接触方法を説明する。ここでは、図４は、シールド金具４の固定後であって且つ固定金具５の固定前における図１のＢ−Ｂ線断の概略図を示す。
【００３６】
この図に示されているように、シールド金具４がコネクタハウジング３に固定されたとき、シールド金具４の舌片４３は、コネクタハウジング３の挿入部３２内、更に言えば、挿入孔３３の内壁に設けた収容溝３６に沿って配置される。舌片４３は外側に向かって多少山型に折り曲げられており、収容溝３６から外部に多少はみ出した状態で、且つ、コネクタハウジング３の中心方向に向かって弾性変位可能な状態で設けられている。このような舌片４３を設けたことにより、図示矢印に示す方向でロック金具５が挿入部３２に挿入された際に、舌片４３をロック金具５との衝突を通じて内側へ弾性変位させるとともに、舌片４３をロック金具５に、更に言えば、シールド金具４をロック金具５に、確実に（電気的に）接触させることができる。これにより、ロック金具５をコネクタハウジング３に組立てる際、挿入孔に位置させたシールド金具の舌片がロック金具と接触するようにして、ロック金具の挿入位置が若干ずれたとしてもロック金具と舌片との接触は確実になるようにされている。
【００３７】
図５、図６を参照して、ロック金具５とシールド金具４の接触方法の他の実施形態を示す。図５は、図４に対応する図であり、図６は、この実施形態に用いるロック金具５'の斜視図である。この実施形態では、図４の実施形態と異なり、舌片の端部を大きく、即ち、外側に向かって１８０度、折り曲げて、舌片４３'の先端部が相手コネクタの嵌合側を向く形状とされている。尚、舌片４３'の一部が収容溝３６'に収まることは上の実施形態と同様である。このような舌片４３'の形状に対応して、ロック金具５'には凹部６０'が設けられている。この構成により、図示矢印に示す方向でロック金具５'が挿入部３２'に挿入されたときに、舌片４３'の端部或いは突部がロック金具５’の凹部６０'にパチンと嵌まり込むようにして、シールド金具４’の外れやがたつきを確実に防止することができる。更に、このような構成により、コネクタハウジング３'からのロック金具５'の抜けをより有効に防止することができる。
【００３８】
次に、図７を参照して、本発明の第２の実施形態について説明する。この図は、第１の実施形態で示した図３の断面図に相当する。本実施形態のコネクタハウジング３Ａには、挿入孔３３Ａは設けられているが、挿入溝（図２の３４）は設けられておらず、また、突出部３５Ａの底面側に部材は存在しない。この結果、コネクタハウジング３Ａに固定されるロック金具５Ａ、特にその連結部５５Ａは、コネクタハウジング３Ａへの挿入時、および、その挿入後に、コネクタハウジング３Ａの底面側で完全に露出された状態となる。
【００３９】
この場合、ハウジングの高さを更に低くすることができる。また、連結部５５Ａの底面全てが露出するので、この底面全てを半田固定面として使用することもできる。
【００４０】
次に、図８、図９を参照して、本発明の第３の実施形態について説明する。図８は、図７と同様、第１の実施形態の図３に相当する断面図である。図９は、この実施形態で用いるシールド金具４Ｂとコネクタハウジング３Ｂを示す斜視図である。
【００４１】
第３の実施形態と第１、第２の実施形態との大きな相違は、第３の実施形態では、ロック金具５Ｂの挿入側および挿入方向が第１、第２の実施形態とは異なる点にあり、またこの結果、ロック金具自体の構造、および、このロック金具５Ｂを挿入するコネクタハウジング３Ｂやこれに固定されるシールド金具４Ｂの構造がそれらと異なる点にある。以下に詳細を説明する。
【００４２】
図８から明らかなように、この第３の実施形態では、ロック金具５Ｂは、コネクタハウジング３Ｂに対し、コネクタハウジング３Ｂの底面側から相手コネクタとの嵌合方向と交差する方向、特にここでは直交方向に挿入される。この挿入方向に対応して、コネクタハウジング３Ｂの挿入部３２Ｂは、第１、第２の実施形態等と同様に、相手コネクタとの嵌合側に開放されているとともに、コネクタハウジング３Ｂの底面側にも開放されている。しかしながら、この第３の実施形態の挿入部３２Ｂには、第１、第２の実施形態のそれのように、挿入溝（図２の３４）は設けられておらず、挿入孔３３Ｂとこの挿入孔３３Ｂと略並行に延出された突出部３５Ｂのみ設けられている。また、これら挿入孔３３Ｂと突出部３５Ｂは、コネクタハウジング３Ｂの挿入方向に対応してそれぞれ、コネクタハウジング３Ｂの底面側から上方に延びる方向、或いは、下方に延びる方向とされている。
【００４３】
第３の実施形態で用いるロック金具５Ｂも、第１の実施形態等と同様に、機能的に、ロック部５２Ｂと、ロック部５２Ｂの後方に位置する係止部５３Ｂと、このロック部から係止部に向かう方向と交差する方向に延出された固定部５４Ｂと、更に、これらを連結する連結部５５Ｂに、分けて考えることができる。
【００４４】
ロック部５２Ｂは、第１の実施形態等におけるそれと同様の働きをし、また、それと同様の形状を有する。したがって、ここでは説明を省略する。
【００４５】
係止部５３Ｂの形状は、第１、第２の実施形態と同様であるが、その延出方向は全く異なる。即ち、この実施形態における係止部５３Ｂは、多少先細の状態で、ロック部５２Ｂから係止部５３Ｂに向かう方向と交差する方向（ここでは特に垂直方向）であって、固定部５４Ｂの延出方向とは逆側に延出されている。この向きに対応して、係止部５３Ｂは、コネクタハウジング３Ｂの挿入孔３３Ｂにその底面側から垂直方向に挿入される。
【００４６】
固定部５４Ｂは、ロック部５２Ｂから係止部５３Ｂに向かう方向と交差する方向（ここでは特に直交方向）であって、係止部５３Ｂの延出方向とは逆側に延出されている。尚、この第３の実施形態では、固定部５４Ｂは１本とされている。固定部５４Ｂとロック部５２Ｂは連結部によって連結されており、また、係止部５３Ｂと略並行に、ロック金具５Ｂの外部、特にその上方に開放された空間６２Ｂが形成されている。空間６２Ｂを係止部５３Ｂと略並行に設けたことにより、また、係止部５３Ｂを交差方向（垂直方向）に延出させたことにより、相手コネクタとの嵌合方向におけるロック金具５Ｂの長さは比較的短くなっている。この結果、コネクタの小型化、特に、コネクタの長手方向における小型化が図られる。
【００４７】
ロック金具５Ｂをコネクタハウジング３Ｂへ挿入する際、固定部５４Ｂは、コネクタハウジング３Ｂの底面から常に飛び出した状態で挿入され、また、挿入後も飛び出した状態とされる。一方、連結部５５Ｂは、挿入孔３３Ｂに沿って挿入され、また、挿入後はその略全体が挿入部３２Ｂに収まる。このとき、係止部５３Ｂと略並行に設けた空間６２Ｂには、コネクタハウジング３Ｂの突出部３５Ｂが組み付けられる。第１、第２の実施形態と同様に、空間６２Ｂに突出部３５Ｂを組み付けることにより、係止部５３Ｂはコネクタハウジング３Ｂの圧入段差部３８Ｂと突出部３５Ｂの対向部に狭持的に圧入係止され、コネクタハウジング３Ｂとロック金具５Ｂの結合を強化することができる。また、固定部５４Ｂをコネクタハウジング３Ｂの底面から突出させるように配置したことにより、ロック部５２Ｂと固定部５４Ｂの配置距離を任意に設計可能とされている。
【００４８】
第１、第２の実施形態と同様に、固定部５４Ｂは最終的には、基板の所定位置に半田付けされ、ロック金具５Ｂやこのロック金具５Ｂが固定されたコネクタハウジング３Ｂを基板（図示されていない）に固定するとともに、ロック金具５Ｂとシールド金具４Ｂとの接触を通じて、シールド金具４Ｂをアースに接続する役目も果たす。
【００４９】
図９を参照して、第３の実施形態で用いるシールド金具４Ｂについて説明する。この第３の実施形態では、ロック金具５Ｂの挿入方向に対応して、シールド金具４Ｂの舌片（接触部）４３Ｂの先端が下方に向けられている。舌片４３Ｂの形状を明らかにするため、図９では、舌片付近の前板の一部が省略されている。舌片４３Ｂは、コネクタハウジング３Ｂの前方（相手コネクタとの嵌合側）から後方（相手コネクタとの嵌合側とは反対側）へその後、底面側に向かう方向に延出されており、全体として略Ｌ字状を成す。その先端は外側下方に向かって多少山型に折り曲げられることによって弾性変位可能な状態とされている。舌片４３Ｂの形状をＬ字とし、舌片４３Ｂの先端側、特に、その弾性変位部をロック金具５Ｂへの挿入方向に向けることにより、後に挿入されるロック金具５Ｂとシールド金具４Ｂとの（電気的）接触はより確実なものとされている。
【００５０】
シールド金具４Ｂは、第１の実施形態等と同様に、コネクタハウジング３Ｂの前側からコネクタハウジング３Ｂの前面および嵌合突出部３１Ｂを覆う状態でそこに固定される。特に図示しないが、このとき、シールド金具４ＢのＬ字舌片４３Ｂは、第１、第２の実施形態と同様、上部を多少突出させた状態で、コネクタハウジング３Ｂの垂直挿入部３２Ｂの内壁に設けたＬ字収容溝３６Ｂに収まる。
【００５１】
また、前述した図５の実施形態と同様に、ロック金具５Ｂに、Ｌ字舌片４３Ｂの弾性突出部が嵌まる凹部（図５の６０’）を設けて、この凹部に弾性突出部をパチンと嵌まり込むようにしてシールド金具４Ｂの外れやがたつきを確実に防止することもできる。
【００５２】
最後に、図１０を参照して、本発明をストレートタイプのコネクタに応用した一例を示す。この図１０は、第１の実施形態の図２に対応する。ここでは、上の第１乃至第３の実施形態と異なり、連結部に相当する部分がないことから、コネクタの小型化やロック部５２Ｃにおけるこじり力の回避といった効果は得られないが、その他の構成については上の実施形態と同様に考えることができる。例えば、この実施形態においても、舌片（図１の４３等）をシールド金具に設けることができ、この舌片の働きによってシールド金具（図１の４）とロック金具５Ｃの（電気的）接触を確実にすることができる。
【００５３】
【発明の効果】
本発明によれば、固定金具に十分な強度を維持しつつ、電気コネクタを小型化、組み立て容易にし、また、ロック金具とシールド金具の電気的接触の信頼性を向上させ、更には、コネクタの基板取付強度を向上させることができる。また、コネクタのロック部におけるこじり力を固定部に逃すことにより、接触端子と基板の接続を保護することができる。
【図面の簡単な説明】
【図１】  本発明のライトアングルタイプのロック金具付き電気コネクタの一例の分解斜視図。
【図２】  シールド金具固定後で且つロック金具固定前における図１のコネクタハウジングのＡ−Ａ線断面図。
【図３】  シールド金具固定後で且つロック金具固定後における図２に対応する断面図。
【図４】  ロック金具とシールド金具の接触方法を示す図であって、シールド金具の固定後であって且つロック金具の固定前における図１のＢ−Ｂ線断の概略図。
【図５】  ロック金具とシールド金具の接触方法の他の実施形態を示す図。
【図６】  図５の実施形態に用いるロック金具の斜視図。
【図７】  本発明の第２の実施形態を示す図であり、第１の実施形態の図３に相当する断面図。
【図８】  本発明の第３の実施形態を示す図であり、第１の実施形態の図３に相当する断面図。
【図９】  第３の実施形態で用いるシールド金具とコネクタハウジングを示す斜視図。
【図１０】  本発明をストレートタイプのコネクタに応用した一例を示す図。
【符号の説明】
１    電気コネクタ
３    コネクタハウジング
５    ロック金具
３２  ロック金具挿入部
３３  ロック金具挿入孔
３４  ロック金具挿入溝
３５  突出部分
４３  舌片
５１  ロック爪
５２  ロック部
５３  係止部
５４  固定部
６２  空間
【図１】
0003689291.tif 000002
【図２】
0003689291.tif 000003
【図３】
0003689291.tif 000004
【図４】
0003689291.tif 000005
【図５】
0003689291.tif 000006
【図６】
0003689291.tif 000007
【図７】
0003689291.tif 000008
【図８】
0003689291.tif 000009
【図９】
0003689291.tif 000010
【図１０】
0003689291.tif 000011